(57)【要約】【課題】オゾンの臭気が生じるのを抑制することができ、空気調和機本体に装着可能な放電ユニット、及びオゾンの臭気が生じるのを抑制することができる空気調和機を提供する。【解決手段】放電ユニットは、枠体１５と放電装置１７と邪魔板１９とを備えている。枠体１５は、空気の吸い込み側となる上流側開口部１５ａ、及び前記空気を吹き出して空気調和機本体１３に供給する側となる下流側開口部１５ｂを有している。放電装置１７は、放電を生起させることにより、上流側開口部１５ａから下流側開口部１５ｂに至る枠体１５内の空気流路１５ｃを流れる空気に前記活性種を放出可能である。邪魔板１９は、放電装置１７よりも下流側の空気流路１５ｃ内において、活性種を含む空気の流路上に設けられている。【選択図】図１
2011106742.tif 000002
【特許請求の範囲】
【請求項１】
ファン（１１）を有する空気調和機本体（１３）に装着可能であり、前記空気調和機本体（１３）に装着された装着状態において、有害物質の少なくとも一部を不活化した空気を前記空気調和機本体（１３）に供給可能な放電ユニットであって、
空気の吸い込み側となる上流側開口部（１５ａ）、及び前記空気を吹き出して前記空気調和機本体（１３）に供給する側となる下流側開口部（１５ｂ）を有する枠体（１５）と、
放電を生起させることにより、前記上流側開口部（１５ａ）から前記下流側開口部（１５ｂ）に至る前記枠体（１５）内の空気流路（１５ｃ）を流れる空気に活性種を放出可能な放電装置（１７）と、
前記放電装置（１７）よりも下流側の前記空気流路（１５ｃ）内において、前記活性種を含む空気の流路上に設けられる邪魔板（１９）と、を備えている放電ユニット。
【請求項２】
前記空気流路（１５ｃ）内に配置され、前記空気流路（１５ｃ）を流れる空気に含まれる被分解物を捕集可能なフィルタ（２３）をさらに備え、
前記放電装置（１７）は、前記活性種を前記フィルタ（２３）に供給可能なように前記フィルタ（２３）に対向して配置されている、請求項１に記載の放電ユニット。
【請求項３】
前記ファン（１１）はファン吸引口（１１ａ）を有し、
前記装着状態において前記ファン吸引口（１１ａ）に対向するように、前記邪魔板（１９）が配置されている、請求項１又は２に記載の放電ユニット。
【請求項４】
前記空気調和機本体（１３）はその吸込口（２１ａ）に沿って配列された複数の前記ファン（１１）を有するものであって、前記複数のファン（１１）は、これらの配列方向（Ａ）に向いたファン吸引口（１１ａ）を有する遠心ファンであり、互いの前記ファン吸引口（１１ａ）が前記配列方向（Ａ）に対向する少なくとも２つのファン（１１）を含み、
前記装着状態において前記２つのファン（１１）の間の領域に対向するように、前記邪魔板（１９）が配置されている、請求項１又は２に記載の放電ユニット。
【請求項５】
前記放電装置（１７）は、前記活性種を放出する放出部（７）を有し、
前記邪魔板（１９）は、前記放出部（７）に対向して配置されている、請求項１〜４のいずれかに記載の放電ユニット。
【請求項６】
前記邪魔板（１９）は、前記放電装置（１７）と前記フィルタ（２３）との間に配置されている、請求項１〜５のいずれかに記載の放電ユニット。
【請求項７】
吸込口（２１ａ）及び吹出口（２１ｂ）を有するケーシング（２１）と、
前記吸込口（２１ａ）から前記吹出口（２１ｂ）に至る前記ケーシング（２１）内の空気流路（２１ｃ）において空気の流れをつくる少なくとも一つのファン（１１）と、
前記ファン（１１）よりも上流側の前記空気流路（２１ｃ）内に配置され、放電を生起させることにより、前記空気流路（２１ｃ）を流れる空気に活性種を放出可能な放電装置（１７）と、
前記放電装置（１７）よりも下流側で、かつ、前記ファン（１１）よりも上流側の前記空気流路（２１ｃ）内において、前記活性種を含む空気の流路上に設けられた邪魔板（１９）と、を備えている空気調和機。
【請求項８】
前記ファン（１１）よりも上流側の前記空気流路（２１ｃ）内に配置され、前記空気流路（２１ｃ）を流れる空気に含まれる被分解物を捕集可能なフィルタ（２３）をさらに備え、
前記放電装置（１７）は、前記活性種を前記フィルタ（２３）に供給可能なように前記フィルタ（２３）に対向して配置されている、請求項７に記載の空気調和機。
【請求項９】
前記ファン（１１）はファン吸引口（１１ａ）を有し、
前記邪魔板（１９）は、前記ファン吸引口（１１ａ）に対向して配置されている、請求項７又は８に記載の空気調和機。
【請求項１０】
前記ファン（１１）は複数設けられ、これらが前記吸込口（２１ａ）に沿って配列されており、前記複数のファン（１１）は、これらの配列方向（Ａ）に向いたファン吸引口（１１ａ）を有する遠心ファンであり、互いの前記ファン吸引口（１１ａ）が前記配列方向（Ａ）に対向する少なくとも２つのファン（１１）を含み、
前記邪魔板（１９）は、前記２つのファン（１１）の間の領域よりも上流側の位置で、かつ、前記領域に対向する位置に配置されている、請求項７又は８に記載の空気調和機。
【請求項１１】
前記放電装置（１７）は、前記活性種を放出する放出部（７）を有し、
前記邪魔板（１９）は、前記放出部（７）に対向して配置されている、請求項７〜１０のいずれかに記載の空気調和機。
【請求項１２】
前記邪魔板（１９）は、前記放電装置（１７）と前記フィルタ（２３）との間に配置されている、請求項７〜１１のいずれかに記載の空気調和機。
【発明の詳細な説明】
【技術分野】
【０００１】
本発明は、空気調和機本体に装着可能な放電ユニット及び空気調和機に関するものである。
【背景技術】
【０００２】
従来、室内の空気に含まれるウィルス、細菌、カビなどの有害物質を分解する機能を備えた種々の空気調和機が提案されている。例えば、特許文献１には、吹出口から吹出し方向１ｍの距離で１，０００，０００個／ｃｃ以上のマイナスイオンが検出されるマイナスイオン発生器を備えた空気調和機が開示されている。また、特許文献２には、通風路を有するケーシングと、この通風路内に配設されたシロッコファンと、前記通風路内において前記シロッコファンの吹出側に配置され、空気中に正イオン又は負イオンを放出する放出面を有するイオン発生装置とを備えた空気調節装置が開示されている。
【先行技術文献】
【特許文献】
【０００３】
【特許文献１】特開２００７−１０７８０９号公報
【特許文献２】特開２００５−７６９０６号公報
【発明の概要】
【発明が解決しようとする課題】
【０００４】
一般に、正イオン、負イオンなどの活性種は、イオン発生装置において放電を生起させることにより放出されるのであるが、放出される活性種には微量のオゾンも含まれている。このオゾンは強い酸化力を有しているので、空気調和機から室内に吹き出される空気中のオゾン濃度は所定値以下に制御されるべきであることは言うまでもない。
【０００５】
しかしながら、オゾンは、独特の臭気を有しているので、空気調和機から室内に吹き出される空気に微量に含まれている場合であってもその臭気が生じることがある。
【０００６】
そこで、本発明は、かかる点に鑑みてなされたものであり、その目的とするところは、オゾンの臭気が生じるのを抑制することができ、空気調和機本体に装着可能な放電ユニット、及びオゾンの臭気が生じるのを抑制することができる空気調和機を提供することにある。
【課題を解決するための手段】
【０００７】
本発明は、ファン（１１）を有する空気調和機本体（１３）に装着可能な放電ユニットに関するものである。この放電ユニットは、前記空気調和機本体（１３）に装着された装着状態において、有害物質の少なくとも一部を不活化した空気を前記空気調和機本体（１３）に供給可能である。この放電ユニットは、枠体（１５）と放電装置（１７）と邪魔板（１９）とを備えている。前記枠体（１５）は、空気の吸い込み側となる上流側開口部（１５ａ）、及び前記空気を吹き出して前記空気調和機本体（１３）に供給する側となる下流側開口部（１５ｂ）を有している。前記放電装置（１７）は、放電を生起させることにより、前記上流側開口部（１５ａ）から前記下流側開口部（１５ｂ）に至る前記枠体（１５）内の空気流路（１５ｃ）を流れる空気に活性種を放出可能である。前記邪魔板（１９）は、前記放電装置（１７）よりも下流側の前記空気流路（１５ｃ）内において、前記活性種を含む空気の流路上に設けられている。
【０００８】
この構成では、前記放電装置（１７）よりも下流側の前記空気流路（１５ｃ）において前記活性種を含む空気の流路上に前記邪魔板（１９）が設けられているので、下流側開口部（１５ｂ）に向かって前記空気流路（１５ｃ）を流れる空気は、前記邪魔板（１９）を避けるようにして流れる。
【０００９】
したがって、邪魔板（１９）が設けられていない場合と比較して、この構成では、前記活性種の含む空気は、その流れに乱れが生じるので、周囲の空気とよく混じり合うようになる。これにより、前記空気流路（１５ｃ）を流れる空気に含まれる活性種が周囲に拡散するので、前記空気流路（１５ｃ）を流れる空気中の活性種の濃度ばらつきが低減される。よって、邪魔板（１９）が設けられていない場合と比較して、前記空気調和機本体（１３）の吹出口（２１ｂ）から吹き出される空気の活性種濃度がより均一化されるので、活性種の一種であるオゾンに起因する臭気を低減することができる。
【００１０】
また、前記放電ユニットは、前記空気流路（１５ｃ）内に配置され、前記空気流路（１５ｃ）を流れる空気に含まれる被分解物を捕集可能なフィルタ（２３）をさらに備え、前記放電装置（１７）は、前記活性種を前記フィルタ（２３）に供給可能なように前記フィルタ（２３）に対向して配置されていてもよい。
【００１１】
この構成では、被分解物を捕集したフィルタ（２３）に放電装置（１７）から活性種を供給可能であるので、フィルタ（２３）が設けられていない場合と比較して、被分解物を分解する効率を高めることができる。
【００１２】
また、前記ファン（１１）はファン吸引口（１１ａ）を有し、前記邪魔板（１９）は、前記装着状態において前記ファン吸引口（１１ａ）に対向するように配置されていてもよい。
【００１３】
この構成では、邪魔板（１９）がファン（１１）のファン吸引口（１１ａ）に対向するように配置されている。この場合、活性種を含む空気は、ファン吸引口（１１ａ）に対向して設けられた邪魔板（１９）を避けるようにして空気流路（１５ｃ）を流れるので、周囲の空気とよく混じり合った後にファン吸引口（１１ａ）内に吸引される。このように活性種を含む空気は、ファン吸引口（１１ａ）に吸引される前に活性種の濃度ばらつきが低減された後、ファン（１１）に吸引されて吹出口（２１ｂ）から排出される。
【００１４】
また、前記空気調和機本体（１３）がその吸込口（２１ａ）に沿って配列された複数の前記ファン（１１）を有し、前記複数のファン（１１）が、これらの配列方向（Ａ）に向いたファン吸引口（１１ａ）を有する遠心ファンであり、互いの前記ファン吸引口（１１ａ）が前記配列方向（Ａ）に対向する少なくとも２つのファン（１１）を含む場合には、前記邪魔板（１９）は、前記装着状態において前記２つのファン（１１）の間の領域に対向するように配置されていてもよい。
【００１５】
各ファン吸引口（１１ａ）が前記配列方向（Ａ）に向いて配置された遠心ファンの場合、ファン吸引口が空気の流れの上流側に向いている場合に比べて、空気の流れ方向から見たときのファン吸引口（１１ａ）の配置が局所的なものとなる。具体的には、例えば羽根車の回転軸の軸方向が空気調和機本体の吸込口に沿って配置されるクロスフローファンのように、ファン吸引口が空気の流れの上流側に向き、かつ、このファン吸引口が空気調和機本体の吸込口の幅方向のほぼ全体にわたって設けられる場合に比べると、上記のように配置された遠心ファン（１１）の場合には、空気の流れに偏りが生じやすくなる。
【００１６】
そこで、この構成では、前記２つのファン（１１）の間の領域に対向するように邪魔板（１９）を配置している。したがって、活性種を含む空気は、この邪魔板（１９）を避けるように空気流路（１５ｃ）を流れるので、邪魔板（１９）周辺において空気の流れに乱れが生じて周囲の空気とよく混じり合う。しかも、活性種を含む空気は、邪魔板（１９）により少なくとも二方向に分散される。その結果、活性種を含む空気は、前記２つのファン（１１）にそれぞれ導かれるので、前記２つのファン（１１）の一方に活性種濃度の比較的高い空気が偏って吸引されるのを抑制することができる。
【００１７】
また、前記放電装置（１７）は、前記活性種を放出する放出部（７）を有し、前記邪魔板（１９）は、前記放出部（７）に対向して配置されていてもよい。
【００１８】
この構成では、邪魔板（１９）が放出部（７）に対向して配置されているので、放電装置（１７）において放出部（７）の配置が局所的であったとしても、放出部（７）から放出される活性種を含む空気は、活性種が放出部（７）から放出された直後に邪魔板（１９）に進路を遮られて邪魔板（１９）を避けるようにして流れる。このように放出部（７）から放出された直後に活性種を周囲の空気中に拡散させることができる。
【００１９】
また、前記邪魔板（１９）は、前記放電装置（１７）と前記フィルタ（２３）との間に配置されていてもよい。
【００２０】
この構成では、邪魔板（１９）が放電装置（１７）とフィルタ（２３）との間に配置されているので、邪魔板（１９）によって活性種が拡散された後にフィルタ（２３）に到達する。これにより、フィルタ（２３）を通過する空気の活性種濃度のばらつきがフィルタ（２３）の面方向において小さくなる。これにより、フィルタ（２３）のより広い範囲に活性種を行き渡らせることができるので、活性種による除菌効果をより高めることができる。
【００２１】
本発明の空気調和機は、吸込口（２１ａ）及び吹出口（２１ｂ）を有するケーシング（２１）と、前記吸込口（２１ａ）から前記吹出口（２１ｂ）に至る前記ケーシング（２１）内の空気流路（２１ｃ）において空気の流れをつくる少なくとも一つのファン（１１）と、放電装置（１７）と、邪魔板（１９）と、を備えている。前記放電装置（１７）は、前記ファン（１１）よりも上流側の前記空気流路（２１ｃ）内に配置され、放電を生起させることにより、前記空気流路（２１ｃ）を流れる空気に活性種を放出可能である。前記邪魔板（１９）は、前記放電装置（１７）よりも下流側で、かつ、前記ファン（１１）よりも上流側の前記空気流路（２１ｃ）内において、前記活性種を含む空気の流路上に設けられている。
【００２２】
この構成では、放電装置（１７）よりも下流側で、かつ、ファン（１１）よりも上流側の空気流路（２１ｃ）に邪魔板（１９）が設けられているので、ファン（１１）に向かって前記空気流路（２１ｃ）を流れる空気は、邪魔板（１９）を避けるようにして流れる。
【００２３】
したがって、この構成では、邪魔板（１９）が設けられていない場合と比較して、前記活性種の含む空気は、その流れに乱れが生じるので、周囲の空気とよく混じり合うようになる。これにより、前記空気流路（２１ｃ）を流れる空気に含まれる活性種が周囲に拡散するので、前記空気流路（２１ｃ）を流れる空気中の活性種の濃度ばらつきが低減される。よって、邪魔板（１９）が設けられていない場合と比較して、吹出口（２１ｂ）から吹き出される空気の活性種濃度がより均一化されるので、活性種の一種であるオゾンに起因する臭気を低減することができる。
【００２４】
また、前記空気調和機は、前記ファン（１１）よりも上流側の前記空気流路（２１ｃ）内に配置され、前記空気流路（２１ｃ）を流れる空気に含まれる被分解物を捕集可能なフィルタ（２３）をさらに備え、前記放電装置（１７）は、前記活性種を前記フィルタ（２３）に供給可能なように前記フィルタ（２３）に対向して配置されていてもよい。
【００２５】
この構成では、被分解物を捕集したフィルタ（２３）に放電装置（１７）から活性種を供給可能であるので、フィルタ（２３）が設けられていない場合と比較して、被分解物を分解する効率を高めることができる。
【００２６】
また、前記ファン（１１）はファン吸引口（１１ａ）を有し、前記邪魔板（１９）は、前記ファン吸引口（１１ａ）に対向して配置されていてもよい。
【００２７】
この構成では、邪魔板（１９）がファン（１１）のファン吸引口（１１ａ）に対向するように配置されている。この場合、活性種を含む空気は、ファン吸引口（１１ａ）に対向して設けられた邪魔板（１９）を避けるようにして空気流路（２１ｃ）を流れるので、周囲の空気とよく混じり合った後にファン吸引口（１１ａ）内に吸引される。このように活性種を含む空気は、ファン吸引口（１１ａ）に吸引される前に活性種の濃度ばらつきが低減された後、ファン（１１）に吸引されて吹出口（２１ｂ）から排出される。
【００２８】
また、前記ファン（１１）が複数設けられ、これらが前記吸込口（２１ａ）に沿って配列されており、前記複数のファン（１１）が、これらの配列方向（Ａ）に向いたファン吸引口（１１ａ）を有する遠心ファンであり、互いの前記ファン吸引口（１１ａ）が前記配列方向（Ａ）に対向する少なくとも２つのファン（１１）を含む場合には、前記邪魔板（１９）は、前記２つのファン（１１）の間の領域よりも上流側の位置で、かつ、前記領域に対向する位置に配置されていてもよい。
【００２９】
前述したように、各ファン吸引口（１１ａ）が前記配列方向（Ａ）に向いて配置された遠心ファンの場合、ファン吸引口が空気の流れの上流側に向いている場合に比べて、空気の流れ方向から見たときのファン吸引口（１１ａ）の配置が局所的なものとなる。したがって、上記のように配置された遠心ファン（１１）の場合には、空気の流れに偏りが生じやすくなる。
【００３０】
そこで、この構成では、前記２つのファン（１１）の間の領域に対向するように邪魔板（１９）を配置している。したがって、活性種を含む空気は、この邪魔板（１９）を避けるように空気流路（２１ｃ）を流れるので、邪魔板（１９）周辺において空気の流れに乱れが生じて周囲の空気とよく混じり合う。しかも、活性種を含む空気は、邪魔板（１９）により少なくとも二方向に分散される。その結果、活性種を含む空気は、前記２つのファン（１１）にそれぞれ導かれるので、前記２つのファン（１１）の一方に活性種濃度の比較的高い空気が偏って吸引されるのを抑制することができる。
【００３１】
また、前記放電装置（１７）は、前記活性種を放出する放出部（７）を有し、前記邪魔板（１９）は、前記放出部（７）に対向して配置されていてもよい。
【００３２】
この構成では、邪魔板（１９）が放出部（７）に対向して配置されているので、放電装置（１７）において放出部（７）の配置が局所的であったとしても、放出部（７）から放出される活性種を含む空気は、活性種が放出部（７）から放出された直後に邪魔板（１９）に進路を遮られて邪魔板（１９）を避けるようにして流れる。このように放出部（７）から放出された直後に活性種を周囲の空気中に拡散させることができる。
【００３３】
前記邪魔板（１９）は、前記放電装置（１７）と前記フィルタ（２３）との間に配置されていてもよい。
【００３４】
この構成では、邪魔板（１９）が放電装置（１７）とフィルタ（２３）との間に配置されているので、邪魔板（１９）によって活性種が拡散された後にフィルタ（２３）に到達する。これにより、フィルタ（２３）を通過する空気の活性種濃度のばらつきがフィルタ（２３）の面方向において小さくなる。これにより、フィルタ（２３）のより広い範囲に活性種を行き渡らせることができるので、活性種による除菌効果をより高めることができる。
【発明の効果】
【００３５】
以上説明したように、本発明によれば、オゾンの臭気が生じるのを抑制することができ、空気調和機本体に装着可能な放電ユニット、及びオゾンの臭気が生じるのを抑制できる空気調和機を提供することができる。
【図面の簡単な説明】
【００３６】
【図１】本発明の第１実施形態にかかる空気調和機を示す分解斜視図である。
【図２】前記空気調和機において、ファン、放電装置、及び邪魔板の位置関係を説明するための底面図である。
【図３】図２のIII-III線断面図である。
【図４】（ａ）は、邪魔板の一例を示す底面図であり、（ｂ）は、（ａ）のＢ−Ｂ線断面図である。（ｃ）は、前記邪魔板の他の例を示す底面図であり、（ｄ）は、（ｃ）のＤ−Ｄ線断面図である。（ｅ）は、前記邪魔板のさらに他の例を示す底面図であり、（ｆ）は、（ｅ）のＦ−Ｆ線断面図である。
【図５】（ａ）はカバーを取り外した状態の前記放電装置を示す分解斜視図であり、（ｂ）はその平面図であり、（ｃ）は、カバーが取り付けられた前記放電装置を示す断面図である。
【図６】（ａ）は、前記放電装置におけるストリーマ放電電極、アース板及び絶縁板の側面図であり、（ｂ）はこれらの部材の正面図である。
【図７】前記放電装置の端部付近を拡大した斜視図である。
【図８】（ａ）は、第１実施形態におけるファン、放電装置及び邪魔板の位置関係を説明するための概略図であり、（ｂ）は、（ａ）から邪魔板を省いた形態を示す概略図である。
【図９】本発明の第２実施形態にかかる空気調和機を示す底面図である。
【図１０】第２実施形態の空気調和機における邪魔板と放電部との位置関係を説明するための概略図であり、（ａ）は、前記邪魔板と前記放電部とを上側からみたときの図であり、（ｂ）は、前記邪魔板と前記放電部とを背面側からみたときの図である。（ｃ）及び（ｄ）は、（ａ）及び（ｂ）の変形例を示す図である。
【図１１】本発明の第３実施形態にかかる空気調和機を示す断面図である。
【図１２】本発明の第４実施形態にかかる空気調和機を示す断面図である。
【図１３】（ａ）は、第４実施形態における２つのファン、放電装置及び邪魔板を上流側開口部側からみたときの位置関係を示す概略図であり、（ｂ）は、その変形例である。
【図１４】本発明の第５実施形態にかかる空気調和機を示す底面図である。
【図１５】図１４のXV-XV線断面図である。
【図１６】本発明の第６実施形態にかかる空気調和機を示す断面図である。
【発明を実施するための形態】
【００３７】
以下、本発明の実施形態にかかる空気調和機について図面を参照しながら詳細に説明する。
【００３８】
＜第１実施形態＞
（空気調和機の全体構成）
図１〜３に示すように、第１実施形態にかかる空気調和機３１は、冷暖房に用いられ、室内の天井に吊り下げられて設置される天吊り形の室内機である。この空気調和機３１は、空気調和機本体１３と、この空気調和機本体１３に装着される放電ユニット３３とを備えている。なお、図２においては、ファン１１、放電装置１７、及び邪魔板１９の位置関係を説明するために、フィルタ２３，４１などの一部の部材の図示を省略している。
【００３９】
放電ユニット３３は、製造時点で空気調和機本体１３に装着された状態で出荷されもよく、設置現場において空気調和機本体１３に装着されてもよい。後者の場合には、放電ユニット３３は、住宅、ビルなどに設置済みの既存の空気調和機本体１３に対して装着する（後付けする）こともできる。
【００４０】
なお、この第１実施形態では、放電ユニット３３は空気調和機本体１３に対して着脱可能であるが、後述する第６実施形態のように放電ユニット３３と空気調和機本体１３が一体で着脱できない形態であってもよい。
【００４１】
（空気調和機本体）
図１〜３に示すように、空気調和機本体１３は、本体ケーシング２１、４つのファン１１、熱交換器４５などを有している。
【００４２】
本体ケーシング２１は、底板２１ｄ、天板２１ｅ、背板２１ｆ、及び一対の側板２１ｇを有している。底板２１ｄの背面側の部分には空気の吸込口２１ａが設けられている。この吸込口２１ａには、後述する放電ユニット３３の枠体１５の下流側開口部１５ｂの周縁部が嵌合する。また、本体ケーシング２１の前面側の部分には空気の吹出口２１ｂが設けられている。
【００４３】
図１に示すように、吸込口２１ａは、幅方向の長さが奥行き方向の長さよりも大きく、空気調和機本体１３の幅方向のほぼ全域にわたって形成されている。吹出口２１ｂは、幅方向の長さが高さ方向の長さよりも大きく、空気調和機本体１３の幅方向のほぼ全域にわたって形成されている。吹出口２１ｂには、この吹出口２１ｂから吹き出される空気の向きを調節するフラップ２１ｈが取り付けられている。フラップ２１ｈは、その回動軸２１ｊに回動可能に支持されている。回動軸２１ｊは、本体ケーシング２１の両側の側板２１ｇに支持されている。
【００４４】
本実施形態では、ファン１１としては、遠心ファンの一種であるシロッコファンを用いている。各ファン１１は、本体ケーシング２１の背面側の空間に配置されており、吸込口２１ａの上方（真上）に位置している。これらのファン１１は、上流側開口部１５ａから下流側開口部１５ｂに至る枠体１５内の空気流路１５ｃ、及び吸込口２１ａから吹出口２１ｂに至る本体ケーシング２１内の空気流路２１ｃにおいて空気の流れをつくる。
【００４５】
各ファン１１は、回転軸１１ｃを有する羽根車１１ｂと、この羽根車１１ｂを収容する渦巻形状のファンケース１１ｄとを有している。羽根車１１ｂは、その回転軸１１ｃの周方向に沿って設けられた複数の羽根１１ｅを有している。ファンケース１１ｄは、回転軸１１ｃの軸方向の両側の位置に略円形に開口するファン吸引口１１ａと、羽根車１１ｂの半径方向外側の位置に開口するファン吐出口１１ｆとを有している。ファン吐出口１１ｆは、本体ケーシング２１の吹出口２１ｂ側に向いて開口している。回転軸１１ｃは図略のモータに接続されている。
【００４６】
図１及び図２に示すように、４つのファン１１（１１１〜１１４）は、空気調和機本体１３の吸込口２１ａに沿って幅方向に一列に配列されている。４つのファン１１の各ファン吸引口１１ａは、ファン１１の配列方向Ａに向いて開口している。隣り合うファン１１のファン吸引口１１ａは、配列方向Ａに沿って対向している。
【００４７】
各ファン１１は、回転軸１１ｃに接続された図略のモータが駆動すると、ファン吸引口１１ａを通じて空気をファンケース１１ｄ内に吸い込む。吸い込まれた空気は、渦巻形状のファンケース１１ｄ内をその周方向に沿って送られ、ファン吐出口１１ｆから吐出される。
【００４８】
熱交換器４５は、本体ケーシング２１の前面側の空間（ファン１１と吹出口２１ｂの間の空間）に配置されている。熱交換器４５の下方にはドレンパン４９が設けられている。熱交換器４５は、本体ケーシング２１の幅方向および高さ方向に延び、幅および高さよりも厚みが小さい扁平な形状を有している。熱交換器４５は、その下縁部が上縁部よりも背板２１ｆ側（ファン１１側）に位置するように鉛直方向に対して傾斜して配置されている。
【００４９】
（放電ユニット）
次に、放電ユニット３３について説明する。この放電ユニット３３は、ストリーマ放電を生起させて放出した活性種により空気流路１５ｃを流れる空気中の有害物質を分解することができる。ストリーマ放電は、放電空間の広い領域にわたって強い放電を生起させることのできる放電形態であり、他の放電形態に比べると有害物質の分解効果も高いという特徴を有している。
【００５０】
放出される活性種としては、電子、イオン、ラジカル、オゾンなどが挙げられる。この活性種は、空気に含まれるウィルス、細菌、カビなどの有害物質（被分解物）に接触してこれらの有害物質を分解する。
【００５１】
図１に示すように、放電ユニット３３は、枠体１５と、一対の静電フィルタ２３と、一対の放電装置１７と、各放電装置１７をそれぞれ支持する一対の支持枠５１と、一対のプレフィルタ４１と、邪魔板１９とを備えている。
【００５２】
枠体１５は、内部に後述する空気流路１５ｃが形成されるように、四角形状に組み合わされた４本の長尺状の枠部材１５１〜１５４を有している。枠体１５は、空気調和機本体１３の吸込口２１ａと同程度の開口領域を有する上流側開口部１５ａ及び下流側開口部１５ｂを有している。上流側開口部１５ａは、空気を吸い込む空気の入口となり、下流側開口部１５ｂは、空気を吹き出して空気調和機本体１３に供給する空気の出口となる。
【００５３】
枠体１５は、前後方向に延びて空気流路１５ｃを幅方向に二分する支柱部材１５５を有している。この支柱部材１５５は、枠部材１５１と枠部材１５３との間に架け渡されている。支柱部材１５５には、後述する各放電装置１７の碍子６１が接続される（図２）。
【００５４】
枠部材１５１〜１５４によって囲まれた空間の幅方向の一方側の端部（図２においては幅方向の左側の端部）には、放電装置１７に電力を供給する高圧電源ユニットを内蔵する電装品ボックス５３が配設されている。枠体１５内には、プレフィルタ４１、放電装置１７を支持する支持枠５１、静電フィルタ２３、及び邪魔板１９が、上流側開口部１５ａから下流側開口部１５ｂに向かってこの順に配置されている。
【００５５】
各プレフィルタ４１は、後述する静電フィルタ２３よりも目が粗く、空気流路１５ｃを流れる空気に含まれる塵埃などを捕捉する役割を担う。このプレフィルタ４１としては、例えば高分子材料などにより形成された網状の部材が挙げられる。枠体１５の下側には、プレフィルタ４１を覆う図略のカバーが取り付けられる。このカバーは、空気が通る図略の複数のスリットを有している。
【００５６】
各静電フィルタ２３は、四角形状のフィルタ枠２３ａに支持されている。各フィルタ枠２３ａは、各静電フィルタ２３が支柱部材１５５により二分された空気流路１５ｃのそれぞれを塞ぐように、枠部材１５１〜１５５により支持されている。
【００５７】
各静電フィルタ２３は、プレフィルタ４１よりも目が細かく、空気流路１５ｃを流れる空気に含まれるウィルス、細菌、カビなどの有害物質を補足する。また、静電フィルタ２３は、プレフィルタ４１を通過した塵埃の一部も捕捉する。この静電フィルタ２３としては、例えば高分子材料の繊維などから形成されたシート（例えば不織布）をプリーツ状に折り曲げ加工したものが挙げられる。
【００５８】
各放電装置１７をそれぞれ支持する一対の支持枠５１は、プレフィルタ４１と静電フィルタ２３との間に配置されている。具体的には、図１の左側に位置する支持枠５１は、左側に位置するプレフィルタ４１と静電フィルタ２３との間に配置され、右側に位置する支持枠５１は、右側に位置するプレフィルタ４１と静電フィルタ２３との間に配置されている。
【００５９】
各支持枠５１は、四角形状に組み合わされた４本の枠部材５１ａ〜５１ｄと、奥行き方向に延びて枠部材５１ａと５１ｃの間に架け渡された支柱部材５１ｅとを有している。この支柱部材５１ｅは、後述する放電装置１７の一端を支持するためのものであり、放電装置１７の長さに合わせて取り付け位置が調整される。
【００６０】
（邪魔板）
本実施形態における邪魔板１９は、図４（ａ），（ｂ）に示すように、長方形状の平板であるが、邪魔板１９の形状はこれに限定されない。邪魔板１９は、例えば図４（ｃ），（ｄ）に示すように、平板をＶ字状に折り曲げ加工したものであってもよい。また、邪魔板１９は、図４（ｅ），（ｆ）に示すように、平板に長手方向に沿って切り込みを入れるとともに、その切り込みの両端部から幅方向に沿ってそれぞれ切り込みを入れて、これらの幅方向の切り込みの終端部同士を結ぶ線に沿って折り曲げ加工したものであってもよい。この折り曲げ加工により、邪魔板１９の長手方向に沿って開口部１９ａが形成されている。これにより、空気流路１５ｃの空気の流れを微調整することができる。
【００６１】
放電ユニット３３の空気流路１５ｃ及びこれにつながる空気調和機本体１３の空気流路２１ｃを含む空気調和機３１全体の空気流路内において、邪魔板１９は、放電装置１７及び静電フィルタ２３よりも下流側で、かつ、ファン１１よりも上流側に位置している。邪魔板１９は、その長手方向が静電フィルタ２３とほぼ平行になるように配置されている。
【００６２】
邪魔板１９は、図２及び図３に示すように、その長手方向の一端が枠体１５の枠部材１５１に支持されており、枠部材１５３に向かって延びている。邪魔板１９の他端１９ａは、図２に示すように、空気調和機本体１３の吸込口２１ａにおける前後方向（吸込口２１ａの長手方向に垂直な方向）の中央よりも背面側の位置まで延設されている。図２に示すように、上流側開口部１５ａ側からファン１１及び邪魔板１９をみたときに、邪魔板１９の一端は、ファン１１の回転軸１１ｃよりも前側（図２の下側）に位置し、邪魔板１９の他端１９ａは、回転軸１１ｃよりも後側（図２の上側）に位置している。なお、図２の一点鎖線Ｂは、各ファン１１の回転軸１１ｃの位置を示すための補助線である。
【００６３】
この第１実施形態では、邪魔板１９は放電ユニット３３の枠体１５に支持されているが、これに限定されない。邪魔板１９は、空気調和機本体１３の本体ケーシング２１などに支持されていてもよい。
【００６４】
（放電装置）
各放電装置１７は、底面側からみて細長い長方形状を有している。各放電装置１７は、その長手方向が放電ユニット３３の幅方向（図１の左右方向）に向くように、空気流路１５ｃ中に配置されている。一方の放電装置１７（図１の右側の放電装置１７ａ）の一端は、右側の支柱部材５１ｅにねじ止めされて支持され、他端は、枠部材５１ｂにねじ止めされて支持されている。他方の放電装置１７（図１の左側の放電装置１７ｂ）の一端は、左側の支柱部材５１ｅにねじ止めされて支持され、他端は、枠部材５１ｄにねじ止めされて支持されている。
【００６５】
各放電装置１７は、ストリーマ放電を生起させることにより、静電フィルタ２３に供給する活性種を生成し空気流路１５ｃ中に放出する。各放電装置１７において活性種が空気流路１５ｃに放出される部位は、後述する放出部７である。この放出部７は、各放電装置１７の長手方向のほぼ中央付近に位置し、各放電装置１７のファン１１に対向している（図２に破線の丸で囲まれた位置の反対側の面）。
【００６６】
図５（ａ）〜図６（ｂ）に示すように、各放電装置１７は、放電装置ケース６９と、放電部８３と、放電装置側接触子７１と、接触子取付部材７２とを有する。
【００６７】
放電装置ケース６９には、放電部８３と接触子取付部材７２とが取り付けられる。放電装置ケース６９は、樹脂から形成された箱状の部材である。放電装置ケース６９は、前面全体が開口しており、放電部８３の後方、両側方、上方、下方を覆っている。以下、放電装置ケース６９の前面の開口を「前面開口６９ａ」と呼ぶ。なお、この前面開口６９ａは、放電装置１７が空気調和機３１に取り付けられた状態においては下方に向く。
【００６８】
図５（ｃ）に示すように、前面開口６９ａは、カバー６４によって閉じられている。これにより、放電部８３と接触子取付部材７２とが、放電装置ケース６９とカバー６４との間に形成される内部空間Ｓ１に収納されている。放電装置ケース６９は、カバー６４と共に放電部８３の周囲を覆い、放電部８３を空気流から隔離する。
【００６９】
放電装置ケース６９の背面の長手方向すなわち鉛直方向におけるほぼ中央部分には、活性種を放出する複数の微少な放出孔７７が設けられている。複数の放出孔７７は、放電装置ケース６９においてその長手方向の前記中央部分に集合して設けられ、放出孔群（放出部）７を構成している。
【００７０】
放電部８３は、ストリーマ放電を生起させる主要部であり、ストリーマ放電電極７０と、アース板７３と、絶縁板７４とを有する。
【００７１】
ストリーマ放電電極７０は、金属板から形成されており、放電電圧が印加されることによってアース板７３との間にストリーマ放電を生じさせる。ストリーマ放電電極７０は、図６（ａ），（ｂ）に示すように、略長方形の外形を有する板状部７８と、板状部７８に垂直に立設された複数の突起部７９と、各突起部７９の先端に設けられた放電針８０とを有する。
【００７２】
突起部７９は、舌状に切り欠かれた板状部７８の一部が垂直に折り曲げられることによって形成されており、板状部７８の長手方向に２つ並んで配置されている。ストリーマ放電電極７０は、絶縁板７４の長手方向における中間部分に接続されており、絶縁板７４を介してアース板７３に取り付けられている。
【００７３】
アース板７３は、金属板から形成されており、ストリーマ放電電極７０よりも大きな略長方形の外形を有する。アース板７３は、ストリーマ放電電極７０に対して平行に配置されており、ストリーマ放電電極７０に近接して配置されている。アース板７３は、ストリーマ放電電極７０と放電装置ケース６９の背面との間に位置している。アース板７３は、放電装置ケース６９に固定されており、金属製のアース接触子８１が取り付けられる。
【００７４】
アース板７３は、ストリーマ放電電極７０の放電針８０に対向する部分近傍に、複数の微少な孔７３ａを有している。これらの孔７３ａは、放電装置ケース６９の複数の微少な放出孔７７と対向するように配置されており、放電針８０からの放電により発生した活性種が、孔７３ａ及び放出孔７７を通って放電装置１７の外部に放出されるように構成されている。
【００７５】
絶縁板７４は、ストリーマ放電電極７０とアース板７３とが取り付けられる部材であり、ストリーマ放電電極７０とアース板７３とを微少な距離を隔てて保持するスペーサーとして機能する。絶縁板７４は、絶縁性の高い樹脂から形成されており、これにより、ストリーマ放電電極７０とアース板７３との間の絶縁が確保される。
【００７６】
絶縁板７４は、図６（ａ）に示すように、側面視において、両端がアース板７３側に折り返された形状を有しており、折り返された両端においてアース板７３と接続されている。より詳細には、絶縁板７４は、ストリーマ放電電極７０とアース板７３とを最短距離で結ぶ第１方向に概ね直交する第２方向に沿ってストリーマ放電電極７０から延びた後に折り返されてアース板７３と接続されている。ここで、第１方向は、ストリーマ放電電極７０の板状部７８およびアース板７３に対して垂直な方向であり、第２方向は、ストリーマ放電電極７０の板状部７８およびアース板７３に対して平行であり、且つ、ストリーマ放電電極７０の板状部７８およびアース板７３の長手方向に沿った方向である。
【００７７】
絶縁板７４は、第１直線部７４ａと、第２直線部７４ｂと、第１Ｕ字部７４ｃと、第３直線部７４ｄと、第２Ｕ字部７４ｅとを有している。
【００７８】
第１直線部７４ａは、側面視において直線形状を有しており、第２方向に平行に配置されている。第１直線部７４ａの長手方向における中間部分は、ストリーマ放電電極７０と対向しており、ストリーマ放電電極７０が接続されている。第１直線部７４ａは、正面視においては、３段階に屈曲した階段状の形状となっている。
【００７９】
第２直線部７４ｂは、側面視において直線形状を有しており、第２方向に平行に配置されている。第２直線部７４ｂは、側面視において第１直線部７４ａよりもアース板７３に近接して配置されており、一端がアース板７３の端部に接続されている。第２直線部７４ｂの他端は、第１Ｕ字部７４ｃを介して第１直線部７４ａに接続されている。
【００８０】
第１Ｕ字部７４ｃは、Ｕ字型の形状を有し、一端が第１直線部７４ａと接続され他端が第２直線部７４ｂと接続されることにより、第１直線部７４ａと第２直線部７４ｂとを繋いでいる。
【００８１】
第３直線部７４ｄは、側面視において直線形状を有しており、第２方向に平行に配置されている。第３直線部７４ｄは、側面視において第１直線部７４ａよりもアース板７３に近接して配置されており、その一端がアース板７３の第２直線部７４ｂが接続されている端部とは反対側の端部に接続されている。第３直線部７４ｄは、第２Ｕ字部７４ｅを介して第１直線部７４ａに接続されている。
【００８２】
第２Ｕ字部７４ｅは、Ｕ字型の形状を有し、一端が第１直線部７４ａと接続され他端が第３直線部７４ｄと接続されることにより、第１直線部７４ａと第３直線部７４ｄとを繋いでいる。
【００８３】
放電装置側接触子７１は、図５（ａ）及び（ｂ）に示すように、接触子取付部材７２に支持されており、接触子取付部材７２の長手方向に沿って設けられている。放電装置側接触子７１の下端は、後述する碍子６１と接触する接点となっている。放電装置側接触子７１は、接触子取付部材７２を介してストリーマ放電電極７０の下端と接触している。放電装置側接触子７１は、電源側接触子からストリーマ放電電極７０に放電電圧を伝達する。
【００８４】
接触子取付部材７２は、放電装置側接触子７１が取り付けられる部材であり、鉛直方向に長い棒状部７２ａと、棒状部７２ａに垂直に交差する仕切板部７２ｂとを有している。棒状部７２ａは、一端にストリーマ放電電極７０が差し込まれる切り欠き７２ｃが設けられており、他端に放電装置側接触子７１の接点が設けられている。
【００８５】
仕切板部７２ｂは、棒状部７２ａの一端と他端との間に設けられており、放電装置ケース６９の内部において、ストリーマ放電電極７０、アース板７３および絶縁板７４が配置される空間と、放電装置側接触子７１の接点が配置される空間との間を仕切っている。これにより、放電装置側接触子７１の接点は、ストリーマ放電電極７０、アース板７３および絶縁板７４が配置された空間から仕切られた空間に配置される。なお、仕切板部７２ｂは、放電装置ケース６９の内側面に設けられた溝６９ｃに差し込まれて固定される。
【００８６】
図７に示すように、各放電装置１７の端部には、碍子６１が取り付けられている。この碍子６１は、放電装置１７の両端のうち放電装置側接触子７１が配置されている側の端部に取り付けられている。各碍子６１は、図２に示すように、支柱部材１５５にそれぞれ取り付けられる。
【００８７】
（空気調和機の動作）
以下、空気調和機３１の動作について説明する。
【００８８】
空気調和機本体１３のファン１１が駆動すると、室内の空気が放電ユニット３３の上流側開口部１５ａから枠体１５内に吸い込まれる。枠体１５内に吸い込まれた空気は、まずプレフィルタ４１を通過する。この際に、比較的大きなホコリや塵が空気中から除去される。
【００８９】
プレフィルタ４１を通過した空気は、支持枠５１で囲まれた領域を通過して静電フィルタ２３に達する。空気がこの静電フィルタ２３を通過する際には、プレフィルタ４１を通過した小さなホコリや塵とともに、ウィルス、細菌、カビなどの有害物質が静電フィルタ２３に捕捉される。
【００９０】
一方、放電装置１７においては、ストリーマ放電電極７０に放電電圧が印加されることによってアース板７３との間にストリーマ放電が生じる。ストリーマ放電が生じると、放電場に低温プラズマが生成され、活性種が放電装置ケース６９に設けられた複数の放出孔７７を通って空気流路１５ｃに放出される。放出された活性種は、空気流路１５ｃの空気の流れに乗って、下流側に位置する静電フィルタ２３に供給される。
【００９１】
活性種が静電フィルタ２３に供給されると、静電フィルタ２３に捕捉された有害物質は前記活性種によって分解され、死滅又は不活化される。空気調和機３１では、放電装置１７においてストリーマ放電を生起させることにより、グロー放電器やバリア放電器等の他のプラズマ放電よりも強い放電場が形成され、エネルギーレベルの高い活性種を生成することができる。よって、ウィルスなどの有害物質を効率よく分解することができる。
【００９２】
静電フィルタ２３を通過した空気は、枠体１５の下流側開口部１５ｂ及び本体ケーシング２１の吸込口２１ａを通じて本体ケーシング２１内に入り、各ファン１１のファン吸引口１１ａからファンケース１１ｄ内に吸い込まれる。この空気は、ファンケース１１ｄ内をその周方向に沿って進み、ファン吐出口１１ｆから吐出される。吐出された空気は、熱交換器４５を通過する際に冷媒との間で熱交換された後、本体ケーシング２１の吹出口２１ｂから室内に吹き出される。
【００９３】
以上が空気調和機３１の全体的な動作であるが、次に、第１実施形態の空気調和機３１の動作の特長について説明する。
【００９４】
第１実施形態の空気調和機３１では、前述したように空気流路１５ｃに邪魔板１９を設けているので、空気流路１５ｃを流れる空気の一部は邪魔板１９に衝突してその進行方向が変えられる。また、空気流路１５ｃを流れる空気の他の一部は邪魔板１９を避けるようにして流れる。このように邪魔板１９の周辺を流れる空気は、その流れに乱れが生じるので、周囲の空気とよく混じり合うようになる。したがって、邪魔板１９が設けられていない場合と比較して、空気調和機本体１３の吹出口２１ｂから吹き出される空気の活性種濃度がより均一化されるので、活性種の一種であるオゾンに起因する臭気を低減することができる。
【００９５】
活性種を含む空気の流れについて詳述すると次のようになる。
【００９６】
図８（ａ）は、本実施形態におけるファン１１、放電装置１７及び邪魔板１９の位置関係をより詳細に説明するとともに活性種を含む空気の流れを説明するための概略図である。この図は、空気調和機３１を背面側からみたときのファン１１、放電装置１７及び邪魔板１９の位置関係を示している。また、図８（ｂ）は、図８（ａ）から邪魔板１９を省いた形態を示す概略図である。
【００９７】
図８（ａ），（ｂ）中の矢印は、活性種を含む空気が放電装置１７からファン１１のファン吸引口１１ａに到達するまでの流れを示している。なお、これらの図中の矢印は、放電装置１７の放出部７から放出された活性種を含む空気の流れの特徴を説明するうえで必要なものに絞って記載しており、活性種を含む空気の流れは図中の矢印に限定されるものではない。
【００９８】
また、図２に二点鎖線で示す曲線１００及び実線で示す曲線１０２は、邪魔板１９を設けた本実施形態の空気調和機３１において吹出口２１ｂから吹き出される空気に含まれるオゾンの濃度分布を表している。一方、図２に一点鎖線で示す曲線１０１及び実線で示す曲線１０２は、邪魔板１９を設けていない形態の空気調和機３１において吹出口２１ｂから吹き出される空気に含まれるオゾンの濃度分布を表している。
【００９９】
まず、邪魔板１９を設けていない場合（図８（ｂ）の形態）について説明する。図２及び図８（ｂ）に示すように、２つの放電装置１７のうち左側の放電装置１７ａは、左から２つ目のファン１１２に対向する位置に設けられており、右側の放電装置１７ｂは、左から３つ目のファン１１３に対向する位置に設けられている。したがって、図２において一点鎖線の曲線１０１及び実線で示す曲線１０２で示すように、空気調和機３１の吹出口２１ｂから吹き出される空気に含まれるオゾンの濃度は、ファン１１２に対応する部分とファン１１３に対応する部分にピークがみられる。この結果から、空気流路１５ｃを流れる空気に含まれる活性種の多くがファン１１２のファン吸引口１１ａ及びファン１１３のファン吸引口１１ａから吸い込まれていることがわかる。
【０１００】
また、図２における一点鎖線の曲線１０１及び実線で示す曲線１０２の２つのピークのうち、ファン１１２に対応する部分のピークがファン１１３に対応する部分のピークよりも高い（ピークの形状がシャープである）のは、次のような理由であると考えられる。すなわち、ファン１１３に対向する放電装置１７ｂの放出部７の位置がファン１１３の軸方向Ｂの中心付近に設けられているのに対して、ファン１１２に対向する放電装置１７ａの放出部７の位置は、ファン１１２の軸方向Ｂの中心から一方側（図２，図８（ｂ）においては左側）にずれている。したがって、放電装置１７ｂの放出部７から放出される活性種を含む空気は、ファン１１３の軸方向の両側のファン吸引口１１ａからある程度均等に吸い込まれる傾向にあるのに対して、放電装置１７ａの放出部７から放出される活性種を含む空気は、ファン１１２の軸方向の左側のファン吸引口１１ａからより多くの量が吸い込まれる。その結果、ファン１１２に対応する部分のピークの位置は、ファン１１２の軸方向の中心から左側にずれているとともに、ピークの形状がシャープになっている。
【０１０１】
一方、図２及び図８（ｂ）に示すように邪魔板１９を設けている本実施形態では、邪魔板１９を設けていない図８（ｂ）の形態の場合と比較して、図２において二点鎖線の曲線１００で示すように、ファン１１２に対応する部分のピークの形状をブロードにしてピーク高さを小さくすることができる。すなわち、本実施形態では、図８（ｂ）の形態の場合と比較して、吹出口２１ｂから吹き出される空気に含まれるオゾンの濃度分布を吹出口２１ｂの幅方向においてより均一化することができる。その理由は次の通りであると考えられる。
【０１０２】
図８（ｂ）に示す形態において、放出部７から最も近いファン吸引口１１ａは、ファン１１２の左側のファン吸引口１１ａである。したがって、放電装置１７ａの放出部７から放出される活性種を含む空気の多くは、空気の流路Ｋ３に沿ってファン１１２の左側のファン吸引口１１ａから吸引される。空気の流路Ｋ４に沿ってファン１１１のファン吸引口１１ａから吸引される活性種の量は、流れＫ３に比べると少ない。
【０１０３】
一方、図８（ａ）に示す本実施形態では、放電装置１７ａの放出部７からこれに最も近いファン吸引口１１ａまでの流路上（図８（ｂ）の流路Ｋ３上）に邪魔板１９を設けている。したがって、放電装置１７ａの放出部７から放出される活性種を含む空気は、邪魔板１９を避けて主に２方向（図８の左右方向）に分岐して流れる。その結果、邪魔板１９の表面に沿ってファン１１１のファン吸引口１１ａ側に導かれる空気の割合が多くなる。すなわち、流路Ｋ２に沿って流れる空気の割合が図８（ｂ）の流路Ｋ４よりも多くなり、流路Ｋ１に沿って流れる空気の割合が図８（ｂ）の流路Ｋ３よりも少なくなると考えられる。
【０１０４】
したがって、本実施形態のように、放出部７の位置がファン１１に対してその軸方向Ｂの中心から一方側にずれている場合には、邪魔板１９は、放出部７から最も近いファン吸引口１１ａまでの空気の流路上に設けるのが好ましい。これにより、吹出口２１ｂから吹き出される空気に含まれるオゾン濃度のピーク高さを効果的に小さくすることができる。
【０１０５】
以上説明したように、本実施形態では、放電装置１７よりも下流側の空気流路１５ｃにおいて活性種の含む空気の流路上に邪魔板１９が設けられているので、下流側開口部１５ｂに向かって空気流路１５ｃを流れる空気は、邪魔板１９を避けるようにして流れる。したがって、邪魔板１９が設けられていない場合と比較して、活性種の含む空気は、その流れに乱れが生じるので、周囲の空気とよく混じり合うようになる。これにより、空気流路１５ｃを流れる空気に含まれる活性種が周囲に拡散するので、空気流路１５ｃを流れる空気中の活性種の濃度ばらつきが低減される。よって、邪魔板１９が設けられていない場合と比較して、吹出口２１ｂから吹き出される空気の活性種濃度がより均一化されるので、活性種の一種であるオゾンに起因する臭気を低減することができる。
【０１０６】
また、本実施形態では、被分解物を捕集したフィルタ２３に放電装置１７から活性種を供給可能であるので、フィルタ２３が設けられていない場合と比較して、被分解物を分解する効率を高めることができる。
【０１０７】
また、本実施形態では、邪魔板１９がファン１１のファン吸引口１１ａに対向するように配置されている。この場合、活性種を含む空気は、ファン吸引口１１ａに対向して設けられた邪魔板１９を避けるようにして空気流路１５ｃを流れるので、周囲の空気とよく混じり合った後にファン吸引口１１ａ内に吸引される。このように活性種を含む空気は、ファン吸引口１１ａに吸引される前に活性種の濃度ばらつきが低減された後、ファン１１に吸引されて吹出口２１ｂから排出される。
【０１０８】
また、本実施形態では、２つのファン１１の間の領域に対向するように邪魔板１９を配置している。したがって、活性種を含む空気は、この邪魔板１９を避けるように空気流路１５ｃを流れるので、邪魔板１９周辺において空気の流れに乱れが生じて周囲の空気とよく混じり合う。しかも、活性種を含む空気は、邪魔板１９により少なくとも二方向に分散される。その結果、活性種を含む空気は、２つのファン１１にそれぞれ導かれるので、前記２つのファン１１の一方に活性種濃度の比較的高い空気が偏って吸引されるのを抑制することができる。
【０１０９】
＜第２実施形態＞
図９は、本発明の第２実施形態にかかる空気調和機３１を示す断面図であり、図１０（ａ）及び（ｂ）は、この空気調和機３１における邪魔板１９と放電部７との位置関係を説明するための概略図である。この第２実施形態の空気調和機３１は、邪魔板１９が放出部７に対向して配置されている点で第１実施形態と異なっている。尚、ここでは第１実施形態と同じ構成要素には同じ符号を付し、その詳細な説明を省略する。
【０１１０】
図１０（ａ），（ｂ）に示すように、各放電装置１７は、第１実施形態と同様に、その長手方向における中央付近に、活性種を放出する放出部としての複数の微少な放出孔７７を有している。複数の放出孔７７は、前記長手方向の前記中央付近に集合して設けられ、放出孔群（放出部）７を構成している。具体的には、６つの放出口７７の小集合が４つあり、これらの４つの小集合が放電装置１７の長手方向に沿って配置されている。
【０１１１】
図１０（ａ），（ｂ）に示すように、邪魔板１９は、放出部７の一部、すなわち一方の端から数えて２つ目と３つ目の小集合に対向して配置されている。また、図１０（ｃ）に示すように、邪魔板１９が放出部１９の全体に対向するように配置されていてもよい。
【０１１２】
また、図１０（ｄ）に示すように、邪魔板１９として平板をＶ字状に折り曲げ加工したものを用いることもできる。この形態の場合、邪魔板１９は、折り曲げ部分が放電装置１７側（上流側開口部１５ａ側）に向くように配置される。
【０１１３】
この第２実施形態では、邪魔板１９が放出部７に対向して配置されているので、放電装置１７において放出部７の配置が局所的であったとしても、放出部７から放出される活性種を含む空気は、活性種が放出部７から放出された直後に邪魔板１９に進路を遮られて邪魔板１９を避けるようにして流れる。このように放出部７から放出された直後に活性種を周囲の空気中に拡散させることができる。
【０１１４】
また、図１０（ｃ）に示すように、邪魔板１９が放出部１９の全体に対向するように配置されている場合には、活性種を含む空気が邪魔板１９によって２方向（図１０（ｃ）の左右方向）に分岐しやすくなるので、活性種の拡散効果を高めることができる。
【０１１５】
また、図１０（ｄ）に示すように、邪魔板１９として平板をＶ字状に折り曲げ加工したものを用いる場合には、Ｖ字状に分かれた各表面に沿って空気が円滑に流れやすくなるので、空気が流れる際の抵抗が小さくなる。
【０１１６】
なお、その他の構成、作用及び効果はその説明を省略するが前記第１実施形態と同様である。
【０１１７】
＜第３実施形態＞
図１１は、本発明の第３実施形態にかかる空気調和機３１を示す断面図である。この第３実施形態の空気調和機３１は、邪魔板１９が、放電装置１７とフィルタ２３との間に配置されている点が第１実施形態と異なっている。尚、ここでは第１実施形態と同じ構成要素には同じ符号を付し、その詳細な説明を省略する。
【０１１８】
この第３実施形態では、邪魔板１９が放電装置１７とフィルタ２３との間に配置されているので、邪魔板１９によって活性種が拡散された後にフィルタ２３に到達する。これにより、フィルタ２３を通過する空気の活性種濃度のばらつきがフィルタ２３の面方向において小さくなる。これにより、フィルタ２３のより広い範囲に活性種を行き渡らせることができるので、活性種による除菌効果をより高めることができる。
【０１１９】
なお、その他の構成、作用及び効果はその説明を省略するが前記第１実施形態と同様である。
【０１２０】
＜第４実施形態＞
図１２は、本発明の第４実施形態にかかる空気調和機３１を示す断面図である。この第４実施形態の空気調和機３１は、天井に埋め込まれて使用される天井埋込ダクト形の室内機である点が第１実施形態と異なっている。尚、ここでは第１実施形態と同じ構成要素には同じ符号を付し、その詳細な説明を省略する。
【０１２１】
この第４実施形態の空気調和機３１は、空気調和機本体１３と、放電ユニット３３とを備えている。空気調和機本体１３は、直方体形状の本体ケーシング２１と、この本体ケーシング２１内に配設された２つのファン１１と、熱交換器４５とを有している。本体ケーシング２１の背板２１ｆには、吸込口２１ａが形成されている。本体ケーシング２１の前面側の部分には吹出口２１ｂが形成されている。
【０１２２】
２つのファン１１は、本体ケーシング２１の背面側の空間にそれぞれ配置されている。各ファン１１は、シロッコファンであり、その回転軸１１ｃの軸方向が本体ケーシング２１の幅方向に略平行となるように配置されている。これらのファン１１は、互いのファン吸引口１１ａが対向している。
【０１２３】
放電ユニット３３は、第１実施形態のものとほぼ同じ構成を有している。この第４実施形態では、放電ユニット３３は本体ケーシング２１の背板２１ｆに取り付けられている。すなわち、背板２１ｆに設けられた吸込口２１ａには、放電ユニット３３の枠体１５の下流側開口部１５ｂの周縁部が嵌合している。邪魔板１９は、枠体１５内において静電フィルタ２３よりも下流側の位置に配置されている。
【０１２４】
図１３（ａ）は、第４実施形態における２つのファン１１、放電装置１７及び邪魔板１９を上流側開口部１５ａ側からみたときの位置関係を示す概略図である。図１３（ａ）に示すように、この第４実施形態では、放電装置１７の放出部７は、ファン１１１とファン１１２の間の領域に対向するように配置されている。具体的には、放出部７は、ファン１１１とファン１１２の間の領域における軸方向のほぼ中央に位置している。
【０１２５】
このような位置関係の場合には、邪魔板１９は、図１３（ａ）に示すように、２つのファン１１の間の領域における軸方向のほぼ中央に配置されるのがよい。放出部７から放出される活性種を含む空気は、邪魔板１９の周辺においてその流れに乱れが生じて周囲の空気とより混ざり合うので、活性種濃度がより均一化される。また、放出部７から放出される活性種を含む空気は、邪魔板１９において分岐してファン１１１のファン吸引口１１ａ及びファン１１２のファン吸引口１１ａにほぼ均等に吸い込まれる。
【０１２６】
また、図１３（ｂ）に示すように、放電装置１７の放出部７が、一方のファン１１（図１３（ｂ）ではファン１１２）のファン吸引口１１ａに近い位置に偏って配置されている場合には、邪魔板１９は、放出部７からこれに最も近いファン１１２の左側の吸引口１１ａまでの空気の流路上に配置されるのがよい。これにより、吹出口２１ｂから吹き出される空気に含まれるオゾン濃度のピーク高さを効果的に小さくすることができる。その理由は、第１実施形態において図８を用いて説明したのと同様である。
【０１２７】
なお、その他の構成、作用及び効果はその説明を省略するが前記第１実施形態と同様である。
【０１２８】
＜第５実施形態＞
図１４は、本発明の第５実施形態にかかる空気調和機３１を示す底面図であり、図１５は、図１４のXV-XV線断面図である。なお、図１４においては、放電装置１７、邪魔板１９、ファン１１などの位置関係を説明しやすいように、枠体１５、プレフィルタ４１、静電フィルタ２３、本体ケーシング２１の底板２１ｄなどの部材の図示は省略している。
【０１２９】
この第５実施形態の空気調和機３１は、天井に埋め込まれて使用され、異なる方向に吹出可能な天井埋込タイプのダブルフロー形の室内機である点が第１実施形態と異なっている。尚、ここでは第１実施形態と同じ構成要素には同じ符号を付し、その詳細な説明を省略する。
【０１３０】
この第５実施形態の空気調和機３１は、空気調和機本体１３と、放電ユニット３３とを備えている。空気調和機本体１３は、直方体形状の本体ケーシング２１と、この本体ケーシング２１内に配設された２つのファン１１（１１１，１１２）と、２つの熱交換器４５とを有している。
【０１３１】
図１４に示すように、ファン１１１及びファン１１２は、シロッコファンであり、吸込口２１ａの長手方向に沿って配列されており、各回転軸１１ｃは、一つのモータ９１に接続されている。ファン１１１のファン吸引口１１ａとファン１１２のファン吸引口１１ａは回転軸１１ｃの軸方向に対向している。
【０１３２】
本体ケーシング２１の底板２１ｄには、ファン１１１，１１２の下方に吸込口２１ａが形成されている。この吸込口２１ａには、放電ユニット３３が装着されている。また、本体ケーシング２１の底板２１ｄには、放電ユニット３３を挟んだ両側の位置に吹出口２１ｂがそれぞれ形成されている。
【０１３３】
ファン１１１のファン吐出口２１ｆは、一方の吹出口２１ｂ（図１５では左側の吹出口２１ｂ）側に向かって開口している。ファン１１２のファン吐出口２１ｆは、他方の吹出口２１ｂ（図１５では右側の吹出口２１ｂ）側に向かって開口している。
【０１３４】
放電ユニット３３は、２つの放電装置１７（１７ａ，１７ｂ）と、一つの邪魔板１９とを有している。一方の放電装置１７ａは、ファン１１１に対向する位置に配設されており、他方の放電装置１７ｂは、ファン１１２に対向する位置に配設されている。各放電装置１７の放出部７は、放電装置１７の長手方向の中央付近に設けられている。
【０１３５】
放電装置１７ａは、ファン１１１の回転軸１１ｃに対してファン１１１のファン吐出口１１ｆとは反対側の位置に回転軸１１ｃの軸方向に沿って配置されている。放電装置１７ｂは、ファン１１１の回転軸１１ｃに対してファン１１２のファン吐出口１１ｆとは反対側の位置に回転軸１１ｃの軸方向に沿って配置されている。
【０１３６】
邪魔板１９は、枠体１５内において静電フィルタ２３よりも下流側の位置に配置されており、その長手方向が回転軸１１ｃにほぼ垂直な方向に向いている。邪魔板１９は、ファン１１１とファン１１２の間の領域における軸方向のほぼ中央に位置している。
【０１３７】
この第５実施形態では、放出部７から放出される活性種を含む空気は、邪魔板１９において流れに乱れが生じて周囲の空気とより混ざり合うので、活性種濃度がより均一化される。また、放出部７から放出される活性種を含む空気は、邪魔板１９において分岐してファン１１１のファン吸引口１１ａ及びファン１１２のファン吸引口１１ａから吸い込まれる。
【０１３８】
なお、その他の構成、作用及び効果はその説明を省略するが前記第１実施形態と同様である。
【０１３９】
＜第６実施形態＞
図１６は、本発明の第６実施形態にかかる空気調和機３１を示す断面図である。この第６実施形態の空気調和機３１は、第１実施形態のように放電ユニット３３が空気調和機本体１３に対して着脱可能な構造ではなく、放電装置１７、邪魔板１９、フィルタ２３，４１などの構成が本体ケーシング２１内に収容されている点で第１実施形態と異なっている。尚、ここでは第１実施形態と同じ構成要素には同じ符号を付し、その詳細な説明を省略する。
【０１４０】
図１６に示すように、この第６実施形態の空気調和機３１では、本体ケーシング２１は、ファン１１の下方に放電装置１７などを収容する収容空間を有している。この収容空間には、プレフィルタ４１、放電装置１７を支持する支持枠５１、静電フィルタ２３、及び邪魔板１９が、上流側から下流側に向かってこの順に配置されている。
【０１４１】
このように第６実施形態では、放電装置１７、各フィルタ４１，２３、邪魔板１９などが本体ケーシング２１内に収容された一体構造であるので、設置現場での放電ユニット３３の設置にかかる手間を省くことができる。また、放電ユニット３３の枠体１５の分だけ部品点数を削減することができる。
【０１４２】
なお、その他の構成、作用及び効果はその説明を省略するが前記第１実施形態と同様である。
【０１４３】
＜その他の実施形態＞
なお、本発明は、前記実施形態に限られるものではなく、その趣旨を逸脱しない範囲で種々変更、改良等が可能である。例えば、前記実施形態では、冷暖房を行う空気調和機の室内機に本発明を適用した場合を例に挙げて説明したが、本発明は空気清浄機などの他の空気調和機に適用することもできる。
【０１４４】
また、前記実施形態では、ストリーマ放電を生起させることにより活性種を生成する場合を例に挙げて説明したが、放電の種類はこれに限定されない。例えば、グロー放電、バリア放電などの他のプラズマ放電を利用して活性種を生成してもよい。
【０１４５】
また、前記実施形態では、空気調和機本体がシロッコファンを備えている場合を例に挙げて説明したが、これに限定されない。ファンとしては、例えばターボファン、クロスフローファンなどの他のファンを用いることもできる。
【０１４６】
また、前記実施形態では、空気調和機が天吊り形、天井埋込ダクト形、天井埋込ダブルフロー形などの室内機を例に挙げて説明したが、これに限定されない。本発明は、例えば、壁掛け形などの他の室内機に適用することもできる。壁掛けタイプの場合、ファンとしてクロスフローファンを用いることが多く、このクロスフローファンのように空気の吸引部分の幅が広いタイプのファンにおいては、例えば、そのファンの吸引部分に対向するように一つ又は複数の邪魔板を設ける。この場合、活性種を含む空気は、ファンに吸引される前に邪魔板に衝突することにより、活性種が邪魔板の周辺に拡散する。これにより、ファンの吸引部分のうち、局所的な部分から偏って吸引されるのを抑制することができる。
【符号の説明】
【０１４７】
７  放出孔群（放出部）
１１  シロッコファン
１１ａ  ファン吸引口
１１ｂ  ファン吐出口
１３  空気調和機本体
１５  枠体
１５ａ  上流側開口部
１５ｂ  下流側開口部
１５ｃ  空気流路
１７  放電装置
１９  邪魔板
２１  本体ケーシング
２１ａ  吸込口
２１ｂ  吹出口
２１ｃ  空気流路
２３  フィルタ
３１  空気調和機
３３  放電ユニット
Ａ  ファンの配列方向
【図１】
2011106742.tif 000003
【図２】
2011106742.tif 000004
【図３】
2011106742.tif 000005
【図４】
2011106742.tif 000006
【図５】
2011106742.tif 000007
【図６】
2011106742.tif 000008
【図７】
2011106742.tif 000009
【図８】
2011106742.tif 000010
【図９】
2011106742.tif 000011
【図１０】
2011106742.tif 000012
【図１１】
2011106742.tif 000013
【図１２】
2011106742.tif 000014
【図１３】
2011106742.tif 000015
【図１４】
2011106742.tif 000016
【図１５】
2011106742.tif 000017
【図１６】
2011106742.tif 000018